【事件の表示】
　特願２０１２−５２０１３３「複数のコンピュータデバイスを操作するためのシステム、方法及びコンピュータプログラム」拒絶査定不服審判事件〔平成２３年　１月２０日国際公開、ＷＯ２０１１／００７２８８、平成２４年１２月２７日国内公表、特表２０１２−５３３７８６、請求項の数（１２）〕について、次のとおり審決する。
【結　論】
　原査定を取り消す。
　本願の発明は、特許すべきものとする。
【理　由】
第１　手続の経緯
　本願は、２０１０年７月１日を国際出願日とする出願（パリ条約による優先権主張２００９年７月１４日、欧州特許庁）であって、平成２７年１月２７日付けで拒絶査定がされ、これに対し、平成２７年５月２８日に拒絶査定不服審判が請求され、同時に手続補正がされたものである。
第２　平成２７年５月２８日付けの手続補正（以下、「本件補正」という。）の適否
１．補正の内容
　本件補正は、特許請求の範囲の請求項１を
「　　【請求項１】
　複数のコンピュータデバイスを操作するためのコンピュータシステムであって、前記コンピュータシステムは前記コンピュータデバイスのうちの１つと、表示デバイス用の共通ビデオ信号を生成するための画像作成ユニットとを有し、前記１つのコンピュータデバイスは、
　前記表示デバイスの表示領域を複数の表示領域セクションに分割し、前記表示領域セクションのうちの少なくとも１つは少なくとも１つの他のコンピュータデバイスに関連し、
　少なくとも１つの入力デバイスから入力信号を受信し、前記入力信号は前記表示領域内の位置に関連付けられ、
　前記少なくとも１つの他のコンピュータデバイスに、前記位置が前記他のコンピュータデバイスに関連する前記表示領域セクションのうちの１つの中にあることに応じて前記入力信号を与える、
ように構成され
、
　
前記画像作成ユニットが、前記表示デバイス上に表示するための画像成分を合成するように構成される画像合成ユニットであり、前記画像成分が、
　
前記１つのコンピュータデバイスと少なくとも１つの他のコンピュータデバイス、又は、
　
複数の他のコンピュータデバイスに関連し、
　
前記画像合成ユニットが、
　
ソース信号のセットを受信し、各ソース信号は一致するコンピュータデバイスに関連し、
　
前記１つのコンピュータデバイスの第１のソース信号からキー情報を決定し、
　
前記共通ビデオ信号を作るために前記決定されたキー情報に依存して異なる画像ソースのソース信号を切り替えるように構成される、
コンピュータシステム。」
とする補正（以下、「補正事項１」という。）を含んでいる。
２．補正の適否
　本件補正の補正事項１は、請求項１に記載した発明を特定するために必要な事項である「表示デバイス用の共通ビデオ信号を生成するための画像作成ユニット」について、「前記画像作成ユニットが、前記表示デバイス上に表示するための画像成分を合成するように構成される画像合成ユニットであり、前記画像成分が、前記１つのコンピュータデバイスと少なくとも１つの他のコンピュータデバイス、又は、複数の他のコンピュータデバイスに関連し、前記画像合成ユニットが、ソース信号のセットを受信し、各ソース信号は一致するコンピュータデバイスに関連し、前記１つのコンピュータデバイスの第１のソース信号からキー情報を決定し、前記共通ビデオ信号を作るために前記決定されたキー情報に依存して異なる画像ソースのソース信号を切り替えるように構成される」との限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　そこで、本件補正後の前記請求項１に記載された発明（以下、「補正発明」という。）が特許法第１７条の２第６項において準用する同法第１２６条第７項の規定に適合するか（特許出願の際独立して特許を受けることができるものであるか）について以下に検討する。
（１）引用文献１−２の記載事項
ア　原査定の拒絶の理由に引用された特開平１１−３０５９１７号公報（以下、「引用文献１」という。）には、次の記載がある（下線は、本審決で特に着目した箇所を示す。以下同様。）。
（ア）　段落【００２１】−【００２５】
「【００２１】
【発明の実施の形態】（第１の実施の形態）図１は、本発明の第１の実施の形態に係る
画像表示システム
【００２２】『　各部の説明　』図１の各ブロックの説明を行う。本実施の形態
は、４つの独立した画像ソース
を１つのモニターに表示し各画像ソースの入出力機器例えば、マウスやキーボード、リモコン、スピーカ等をモニターに表示された画像データと連動して制御できるようにする
【００２３】
３１は
表示システム
１-１、１-２、１-３、１-４は画像信号のソース（以下「画像ソース１」と記す）であり、例えばパソコン、ワークステーション、ディジタルテレビ、ビデオ等であ
２-１、２-２、２-３、２-４
それぞれ各画像ソース１から出力された画像データを受け取る入力部
【００２４】
３-１、３-２、３-３、３-４
表示フォーマット変換部
４-１、４-２、４-３、４-４
バスインタフェース部
５
バスコントローラ
【００２５】
６
制御部
演算能力を持つCPU、データを一時格納するRAM、制御プログラムを格納するROM
等
を有している
７
フレームメモリコントローラ
９
フレームメモリ
１３は表示デバイスであり
画像ソース１からの画像データはこの表示デバイス１３に表示され
（イ）　段落【００５５】−【００６１】
「【００５５】図２は、複数の画像ソースが入力された場合の表示デバイス１３における表示レイアウトの例を示す図である。
【００５６】図２に示したように、
画像ソース１-１から入力された第１の画像入力(１-１)が表示部の画面全体に描画されている時に、画像ソース１-２から第２の画像入力(１-２)が入力された場合
【００５７】図２中の（
ａ）の場合は、
表示フォーマット変換部３-１はスケーリングを行わないで入力部２-１からの画像データをそのままフレームメモリ９の優先順位の２番目の階層に入力する
一方、表示フォーマット変換部３-２は画像ソース１-２からの画像にスケーリングを行い、入力表示ドット、ラインを間引いたり、演算処理により縮小
してフレームメモリ９の優先順位の１番目に入力
【００５８】同図
（ｂ）の場合は、表示フォーマット変換部３-１、３-２ともにスケーリングを行い、２つの画像が重ならないようにし
【００５９】同図
（ｃ）、（ｄ）はそれぞれ（ａ）、（ｂ）の画像(１-１)、(１-２)の条件を反対にしたものであ
（ｅ）は、表示フォーマット変換部３-１、３-２ともにスケーリングは行わず、またフレームメモリ９に入力する際はフレームメモリコントローラ７内の演算回路により画像(１-１)、(１-２)の各画像データを少なくとも最小１画素単位で演算し、その結果を、優先順位１番目に入力し
【００６０】上述したように２つ以上の画像データが入力された場合は、その表示方法を表示フォーマット変換部３のスケーリングとフレームメモリ９のストア階層により自由に変えられる。
【００６１】
この変更制御は
制御部６に
（ａ〜ｅ）の表示切り替えを指示することで可能とな
制御部６はその都度、各表示フォーマット変換部３とバスコントローラ５、フレームメモリコントローラ７にパラメータの切り替えを指示
（ウ）　段落【００６２】−【００６９】
「【００６２】『　表示ポインタによる入出力デバイス切り替え制御　』次に、本発明のポイントである、表示ポインタによる画像ソースの入出力デバイスの切り替え方法について説明する。
【００６３】
表示ポインタコントローラ２１
は、
画像ソースの入力デバイスになるジョイスティック（マウス）２２、ジョイスティック２２の確定ボタンとして機能する制御ボタン２３、表示デバイス１３に入力画像データと重ねあわせて表示されるポインタを制御する（ポインタ）ジョイステック２４及びその確定ボタンとして機能する制御ボタン２５で構成され
【００６４】X、Yの座標の基準を決める初期化を表示デバイス１３に表示されている重ねあわせポインタを見ながら行った後、ジョイステック２２は、X、Yの座標を、受光部２０、赤外線データ制御部１９を介して制御部６に送る。制御部６は、表示デバイス上で現在表示している入力画像のウィンドウの頂点４点の座標を各表示フォーマット３でスケーリングを行うときのドット数、ライン数から演算し、常時貯えておく。
【００６５】ジョイステック２４から送られてきたX、Y座標値は、ある一定期間毎に制御部６に送られ、その座標位置に重ね合わせデータストアメモリ１０に格納されたポインタ図形を表示デバイス１３に表示させるように、重ねあわせデータを出力表示フォーマット変換１１に出力する。この時、画像ソース入出力デバイスの１つであるジョイステック２２は画像ソース１-１と受光部２０、赤外線データ制御部１９、赤外線データ変換部１８、FIFOメモリ１７、パケット分配制御１５、選択部１４を介して接続されている。
【００６６】また、重ねあわせデータストアメモリ１０内のポインタ図形は、各画像ソース１から選択部１４、FIFOメモリ付きパケット制御部１６、制御部６、バスコントローラ５、重ね合わせデータコントローラ８の各部を経由して書き換えてもよいし、制御部６にあらかじめ備えられたROMからバスコントローラ５、重ね合わせデータコントローラ８を経由して書き換えてもよい。
【００６７】
ある時ユーザーが、ジョイステック２２を画像ソース１-１ではなく画像ソース１-２を制御する入出力デバイスとして使いたい場合には、ユーザーは画像データ（１-２）が表示されている画面にジョイステック２４によって描画される重ねあわせデータの図形を移動させ、座標確定用の制御ボタン２５を押
この制御ボタン２５が押された情報は受光部２０、赤外線データ制御部１９を介して制御部６に転送される。制御部６はそのボタン情報を受けとったときのX、Y座標情報とあらかじめわかっている各画像ソース１からの画像データ表示ウィンドウの４つの頂点座標値とを使い演算を行い、表示ポインタジョイスティク２４のX、Y座標がどの表示ウィンドウの上にあったかを求め、これにより画像を選択
【００６８】そして、
制御部６は、制御信号を用いて選択部１４の接続を一度非接続にした後、ある一定時間後に画像ソース１-２から出力されるシリアルデータ線がパケット分配制御１５に接続されるように切り替え
【００６９】
この動作により、ホットプラグが可能なシリアルデータプロトコールを用いた周辺デバイスとホストCPU（
画像ソース１）は、周辺デバイスの接続の再構築が可能になるので、ジョイステック２２は画像ソース１-２の入出力デバイス（マウス等）として動作可能にな
　そうすると、引用文献１には、以下の発明（以下、「引用発明１」という。）が記載されている。
「画像表示システムは、
　４つの独立した画像ソースを１つのモニターに表示し各画像ソースの入出力機器例えば、マウスやキーボード、リモコン、スピーカ等をモニターに表示された画像データと連動して制御できるようにするものであり、
　画像ソース１-１、１-２、１-３、１-４と、表示システム３１と、表示ポイントコントローラ２１を備え、
　画像ソース１-１、１-２、１-３、１-４は、例えばパソコン、ワークステーション、ディジタルテレビ、ビデオ等であり、
　表示システム３１は、それぞれ各画像ソース１から出力された画像データを受け取る入力部２-１、２-２、２-３、２-４と、表示フォーマット変換部３-１、３-２、３-３、３-４と、バスインタフェース部４-１、４-２、４-３、４-４と、バスコントローラ５と、演算能力を持つCPU、データを一時格納するRAM、制御プログラムを格納するROM等を有している、制御部６と、フレームメモリコントローラ７と、フレームメモリ９と、表示デバイス１３と、を備え、画像ソース１-１、１-２、１-３、１-４からの画像データはこの表示デバイス１３に表示され、
　画像ソース１-１から入力された第１の画像入力(１-１)が表示部の画面全体に描画されている時に、画像ソース１-２から第２の画像入力(１-２)が入力された場合、
　変更制御は、制御部６に（ａ〜ｅ）の表示切り替えを指示することで可能となり、制御部６はその都度、各表示フォーマット変換部３とバスコントローラ５、フレームメモリコントローラ７にパラメータの切り替えを指示し、
　（ａ）の場合は、表示フォーマット変換部３-１はスケーリングを行わないで入力部２-１からの画像データをそのままフレームメモリ９の優先順位の２番目の階層に入力する一方、表示フォーマット変換部３-２は画像ソース１-２からの画像にスケーリングを行い、入力表示ドット、ラインを間引いたり、演算処理により縮小してフレームメモリ９の優先順位の１番目に入力し、
　（ｂ）の場合は、表示フォーマット変換部３-１、３-２ともにスケーリングを行い、２つの画像が重ならないようにし、
　（ｃ）、（ｄ）はそれぞれ（ａ）、（ｂ）の画像(１-１)、(１-２)の条件を反対にしたものであり、
　（ｅ）は、表示フォーマット変換部３-１、３-２ともにスケーリングは行わず、またフレームメモリ９に入力する際はフレームメモリコントローラ７内の演算回路により画像(１-１)、(１-２)の各画像データを少なくとも最小１画素単位で演算し、その結果を、優先順位１番目に入力するものであり、
　表示ポインタコントローラ２１は、画像ソースの入力デバイスになるジョイスティック（マウス）２２、ジョイスティック２２の確定ボタンとして機能する制御ボタン２３、表示デバイス１３に入力画像データと重ねあわせて表示されるポインタを制御する（ポインタ）ジョイステック２４及びその確定ボタンとして機能する制御ボタン２５で構成され、
　ある時ユーザーが、ジョイステック２２を画像ソース１-１ではなく画像ソース１-２を制御する入出力デバイスとして使いたい場合には、ユーザーは画像データ（１-２）が表示されている画面にジョイステック２４によって描画される重ねあわせデータの図形を移動させ、座標確定用の制御ボタン２５を押し、
　この制御ボタン２５が押された情報は受光部２０、赤外線データ制御部１９を介して制御部６に転送され、
　制御部６はそのボタン情報を受けとったときのX、Y座標情報とあらかじめわかっている各画像ソース１-１、１-２、１-３、１-４からの画像データ表示ウィンドウの４つの頂点座標値とを使い演算を行い、表示ポインタジョイスティク２４のX、Y座標がどの表示ウィンドウの上にあったかを求め、これにより画像を選択し、
　制御部６は、制御信号を用いて選択部１４の接続を一度非接続にした後、ある一定時間後に画像ソース１-２から出力されるシリアルデータ線がパケット分配制御１５に接続されるように切り替え、
　この動作により、ホットプラグが可能なシリアルデータプロトコールを用いた周辺デバイスとホストCPU（画像ソース１-１、１-２、１-３、１-４）は、周辺デバイスの接続の再構築が可能になるので、ジョイステック２２は画像ソース１-２の入出力デバイス（マウス等）として動作可能になる、
画像表示システム。」
イ　原査定の拒絶の理由に引用された特開２００８−０４０１９０号公報（以下、「引用文献２」という。）には、次の記載がある。
（ア）　段落【０００１】
「【技術分野】
【０００１】
  本発明は、入力される複数の映像（または画像）を切り替えて１台の表示装置（モニタ、スクリーンパネル、プロジェクタなど）に表示する
映像切り替えシステム
（イ）　段落【００１３】−【００２０】
「【００１３】
　（実施形態１）
　図１は、本発明の実施形態を示すシステム構成図であり、
２台のパソコンと１台のモニタ構成により映像を切り替える
【００１４】
　
映像切り替え機１は、例えばパソコンを利用して構成され、マウスやキーボードからの位置、操作信号入力の受付け機能、モニタへの画像表示機能および外部からの映像入力機能をもつＯＳとアプリケーションを搭載
【００１５】
　
これら機能を有する映像切り替え機１は、ＬＡＮまたは映像入力ケーブルによって２台のパソコン２Ａ，２Ｂに接続されてこれらパソコン２Ａ，２Ｂからの映像出力を並行して取得可能に
また、映像切り替え機１は、映像出力ケーブルによってモニタ３に接続されて該モニタ３への映像信号出力を可能に
さらに、映像切り替え機１には操作入力装置としてマウス４とキーボード５が接続され
【００１６】
　
さらに、映像切り替え機１は、
以下の映像切り替え機能をもつアプリケーションを搭載
【００１７】
　（１Ａ）モニタの画面表示
　
画面表示は各パソコン２Ａ、２Ｂからの映像入力をそれぞれ１画面表示して切り替える表示機能と、
表示画面を２分割し、各表示画面領域には両パソコン２Ａ、２Ｂからの映像をそれぞれ分割表示する分割表示機能をも
【００１８】
　（１Ｂ）キーボード・マウス入力
　モニタにパソコン２Ａまたは２Ｂの一方の映像を１画面表示する場合は、当該画面に対してギーボード５またはマウス４による入力操作を可能にする。
【００１９】
　また、
分割画面表示の場合、ギーボードまたはマウス入力を可能にした画面は、当該画面枠を太く表示し画面の濃淡で表し、操作入力と映像との対応付けを容易に
【００２０】
　（１Ｃ）キーボード・マウス入力有効画面切り替え
　
キーボードまたはマウス入力の有効画面切り替えは、マウスカーソルの移動により切り替え
例えば、
カーソルがＡの画面領域からＢの画面領域に移動したときにキーボード・マウス入力有効画面を切り替え
（ウ）　段落【００３２】−【００３４】
「【００３２】
　（実施形態３）
　図１６は、本発明の実施形態を示すシステム構成図であり、Ｎ台のパソコン２Ａ〜２Ｎと１台のモニタ構成による映像切り替えの場合である。本実施形態の場合は、実施形態とは以下の点で異なる。
【００３３】
　（３Ａ）モニタの画面表示
　
画面表示は、
各パソコン２Ａ〜２Ｎからの映像入力をマルチウィンドウ画面で表示し
【００３４】
　（３Ｂ）境界エリアによる入力有効画面の移動
　各ウィンドウ画面の枠線を境界エリアとし、実施形態１，２と同様に、マウスカーソルが境界エリアに入った次の動作により、キーボード・マウスの切り替えのチェックを行う。」
　そうすると、引用文献２には、以下の発明（以下、「引用発明２」という。）が記載されている。
「２台のパソコンと１台のモニタ構成により映像を切り替える、映像切り替えシステムであって、
　映像切り替え機１は、例えばパソコンを利用して構成され、マウスやキーボードからの位置、操作信号入力の受付け機能、モニタへの画像表示機能および外部からの映像入力機能をもつＯＳとアプリケーションを搭載し、
　これら機能を有する映像切り替え機１は、ＬＡＮまたは映像入力ケーブルによって２台のパソコン２Ａ，２Ｂに接続されてこれらパソコン２Ａ，２Ｂからの映像出力を並行して取得可能にし、
　また、映像切り替え機１は、映像出力ケーブルによってモニタ３に接続されて該モニタ３への映像信号出力を可能にし、
　さらに、映像切り替え機１には操作入力装置としてマウス４とキーボード５が接続され、
　さらに、映像切り替え機１は、以下の映像切り替え機能をもつアプリケーションを搭載し、
　画面表示は各パソコン２Ａ、２Ｂからの映像入力をそれぞれ１画面表示して切り替える表示機能と、表示画面を２分割し、各表示画面領域には両パソコン２Ａ、２Ｂからの映像をそれぞれ分割表示する分割表示機能をもち、
　ここで、画面表示は、各パソコン２Ａ〜２Ｎからの映像入力をマルチウィンドウ画面で表示してもよく、
　分割画面表示の場合、キーボードまたはマウス入力を可能にした画面は、当該画面枠を太く表示し画面の濃淡で表し、操作入力と映像との対応付けを容易にし、
　キーボードまたはマウス入力の有効画面切り替えは、マウスカーソルの移動により切り替え、例えば、カーソルがＡの画面領域からＢの画面領域に移動したときにキーボード・マウス入力有効画面を切り替える、
映像切り替えシステム。」
（２）対比
ア　補正発明と引用発明１との対比
　まず、補正発明と引用発明１とを対比する。
（ア）　引用発明１の「例えばパソコン」である「４つの独立した画像ソース（１-１、１-２、１-３、１-４）」と、「表示デバイス１３」は、それぞれ、補正発明の「複数のコンピュータデバイス」と、「表示デバイス」に相当する。
  引用発明１の「表示システム３１」は、「各画像ソースの入出力機器例えば、マウスやキーボード、リモコン、スピーカ等をモニターに表示された画像データと連動して制御できるようにする」から、補正発明の「複数のコンピュータデバイスを操作するためのコンピュータシステム」に相当する。
　また、引用発明１の「表示システム３１」は、「４つの独立した画像ソースを１つのモニターに表示」するから、補正発明の「前記コンピュータシステムは前記コンピュータデバイスのうちの１つと、表示デバイス用の共通ビデオ信号を生成するための画像作成ユニットとを有し」ていることと、「前記コンピュータシステムは」、「表示デバイス用の共通ビデオ信号を生成するための画像作成ユニットとを有し」ている点で共通するといえる。
（イ）　引用発明１の「表示システム３１」が、「画像ソース１-１から入力された第１の画像入力(１-１)」及び「画像ソース１-２から第２の画像入力(１-２)が入力された場合」、一方の画像入力を「演算処理により縮小して」他方の画像入力より優先して表示したり、「２つの画像が重ならないように」表示したり、「演算回路により画像(１-１)、(１-２)の各画像データを少なくとも最小１画素単位で演算し、その結果を」表示することは、補正発明の「前記１つのコンピュータデバイスは」、「前記表示デバイスの表示領域を複数の表示領域セクションに分割し、前記表示領域セクションのうちの少なくとも１つは少なくとも１つの他のコンピュータデバイスに関連し」ていることと、「前記表示デバイスの表示領域を複数の表示領域セクションに分割し、前記表示領域セクションのうちの少なくとも１つは少なくとも１つの他のコンピュータデバイスに関連し」ている点で共通するといえる。
（ウ）　引用発明１の「表示システム３１」（補正発明の「
画像作成ユニット
画像合成ユニット
ジョイステック２４によって
ジョイスティク２４
（エ）　引用発明１の「表示システム３１」は、「４つの独立した画像ソースを１つのモニターに表示」するから、補正発明の「前記表示デバイス上に表示するための画像成分を合成するように構成される画像合成ユニット」にも相当するといえる。
　よって、上記（イ）のように、引用発明１の「表示システム３１」が、「画像ソース１-１から入力された第１の画像入力(１-１)」と「画像ソース１-２から第２の画像入力(１-２)が入力された場合」、一方の画像入力を「演算処理により縮小して」他方の画像入力より優先して表示したり、「２つの画像が重ならないように」表示したり、「演算回路により画像(１-１)、(１-２)の各画像データを少なくとも最小１画素単位で演算し、その結果を」表示することは、「前記画像作成ユニットが、前記表示デバイス上に表示するための画像成分を合成するように構成される画像合成ユニットであり、前記画像成分が、前記１つのコンピュータデバイスと少なくとも１つの他のコンピュータデバイス、又は、複数の他のコンピュータデバイスに関連し」ていること、及び、「前記画像合成ユニットが、ソース信号のセットを受信し、各ソース信号は一致するコンピュータデバイスに関連し」ていることにも相当するといえる。
　したがって、補正発明と引用発明１との一致点・相違点は次のとおりである。
＜一致点＞
「複数のコンピュータデバイスを操作するためのコンピュータシステムであって、前記コンピュータシステムは、表示デバイス用の共通ビデオ信号を生成するための画像作成ユニットとを有し、
　前記表示デバイスの表示領域を複数の表示領域セクションに分割し、前記表示領域セクションのうちの少なくとも１つは少なくとも１つの他のコンピュータデバイスに関連し、
　少なくとも１つの入力デバイスから入力信号を受信し、前記入力信号は前記表示領域内の位置に関連付けられ、
　前記少なくとも１つの他のコンピュータデバイスに、前記入力信号を与える、
ように構成され、
　前記画像作成ユニットが、前記表示デバイス上に表示するための画像成分を合成するように構成される画像合成ユニットであり、前記画像成分が、
　前記１つのコンピュータデバイスと少なくとも１つの他のコンピュータデバイス、又は、
　複数の他のコンピュータデバイスに関連し、
　前記画像合成ユニットが、
　ソース信号のセットを受信し、各ソース信号は一致するコンピュータデバイスに関連し、ているように構成される、
コンピュータシステム。」
＜相違点Ａ＞
　「コンピュータシステム」が、補正発明では、「前記コンピュータデバイスのうちの１つと、表示デバイス用の共通ビデオ信号を生成するための画像作成ユニットとを有し」ているのに対して、引用発明１の「表示システム３１」は、「前記コンピュータデバイスのうちの１つ」を有するものではなく、また、入力信号を授受する主体に関して、補正発明では、「前記１つのコンピュータデバイス」が、「少なくとも１つの入力デバイスから
入力信号を受信し
他のコンピュータデバイスに
前記入力信号を与える
画像作成ユニット
画像合成ユニット
＜相違点Ｂ＞
　表示領域セクションの選択に用いる手段に関して、補正発明では、入力手段（例えばマウス）が関連付けられている、表示領域内の「前記位置が前記他のコンピュータデバイスに関連する前記表示領域セクションのうちの１つの中にあることに応じて」、すなわち「入力手段」によって選択を行うのに対して、引用発明１では、「画像ソースの入力デバイスになる
ジョイスティック（マウス）２２
ジョイステック２４によって
表示ポインタジョイスティク２４
＜相違点Ｃ＞
　異なるソース信号を切り替える信号処理に関して、補正発明の「前記画像合成ユニット」は、「前記１つのコンピュータデバイスの第１のソース信号からキー情報を決定し、前記共通ビデオ信号を作るために前記決定されたキー情報に依存して異なる画像ソースのソース信号を切り替えるように構成される」のに対して、引用発明１は、「キー情報」を用いるものではない点。
イ　補正発明と引用発明２との対比
　次に、補正発明と引用発明２とを対比する。
（ア）　引用発明２の「２台のパソコン２Ａ，２Ｂ」と、「モニタ３」は、それぞれ、補正発明の「複数のコンピュータデバイス」と、「表示デバイス」に相当する。
　引用発明２の「映像切り替え機１」は、「操作入力装置としてマウス４とキーボード５が接続され」、「キーボードまたはマウス入力の有効画面切り替えは、マウスカーソルの移動により切り替え、例えば、カーソルがＡの画面領域からＢの画面領域に移動したときにキーボード・マウス入力有効画面を切り替える」から、補正発明の「複数のコンピュータデバイスを操作するためのコンピュータシステム」に相当する。
　また、引用発明２の「映像切り替え機１」は、「表示画面を２分割し、各表示画面領域には両パソコン２Ａ、２Ｂからの映像をそれぞれ分割表示する分割表示機能をも」つから、補正発明の「前記コンピュータシステムは前記コンピュータデバイスのうちの１つと、表示デバイス用の共通ビデオ信号を生成するための画像作成ユニットとを有し」ていることと、「前記コンピュータシステムは」、「表示デバイス用の共通ビデオ信号を生成するための画像作成ユニットとを有し」ている点で共通するといえる。
（イ）　引用発明２の「映像切り替え機１」が、「表示画面を２分割し、各表示画面領域には両パソコン２Ａ、２Ｂからの映像をそれぞれ分割表示する分割表示機能をも」つことは、補正発明の「前記１つのコンピュータデバイスは」、「前記表示デバイスの表示領域を複数の表示領域セクションに分割し、前記表示領域セクションのうちの少なくとも１つは少なくとも１つの他のコンピュータデバイスに関連する」ことと、「前記表示デバイスの表示領域を複数の表示領域セクションに分割し、前記表示領域セクションのうちの少なくとも１つは少なくとも１つの他のコンピュータデバイスに関連し」ている点で共通するといえる。
（ウ）　引用発明２の「映像切り替え機１」が、「マウスやキーボードからの位置、操作信号入力の受付け機能……をもつＯＳとアプリケーションを搭載し」、「キーボードまたはマウス入力の有効画面切り替えは、マウスカーソルの移動により切り替え、例えば、カーソルがＡの画面領域からＢの画面領域に移動したときにキーボード・マウス入力有効画面を切り替える」ことは、補正発明の「前記１つのコンピュータデバイスは」、「少なくとも１つの入力デバイスから入力信号を受信し、前記入力信号は前記表示領域内の位置に関連付けられ、前記少なくとも１つの他のコンピュータデバイスに、前記位置が前記他のコンピュータデバイスに関連する前記表示領域セクションのうちの１つの中にあることに応じて前記入力信号を与える」ことと、「少なくとも１つの入力デバイスから入力信号を受信し、前記入力信号は前記表示領域内の位置に関連付けられ、前記少なくとも１つの他のコンピュータデバイスに、前記位置が前記他のコンピュータデバイスに関連する前記表示領域セクションのうちの１つの中にあることに応じて前記入力信号を与える」点で共通するといえる。
（エ）　引用発明２の「映像切り替え機１」は、「両パソコン２Ａ、２Ｂからの映像をそれぞれ分割表示する分割表示機能をも」つから、補正発明の「前記表示デバイス上に表示するための画像成分を合成するように構成される画像合成ユニット」にも相当する。
　よって、上記（イ）のように、引用発明２の「映像切り替え機１」が、「表示画面を２分割し、各表示画面領域には両パソコン２Ａ、２Ｂからの映像をそれぞれ分割表示する分割表示機能をも」つことは、「前記画像作成ユニットが、前記表示デバイス上に表示するための画像成分を合成するように構成される画像合成ユニットであり、前記画像成分が、前記１つのコンピュータデバイスと少なくとも１つの他のコンピュータデバイス、又は、複数の他のコンピュータデバイスに関連し」ていること、及び、「前記画像合成ユニットが、ソース信号のセットを受信し、各ソース信号は一致するコンピュータデバイスに関連し」ていることにも相当するといえる。
　したがって、補正発明と引用発明２との一致点・相違点は次のとおりである。
＜一致点＞
「複数のコンピュータデバイスを操作するためのコンピュータシステムであって、前記コンピュータシステムは、表示デバイス用の共通ビデオ信号を生成するための画像作成ユニットとを有し、
　前記表示デバイスの表示領域を複数の表示領域セクションに分割し、前記表示領域セクションのうちの少なくとも１つは少なくとも１つの他のコンピュータデバイスに関連し、
　少なくとも１つの入力デバイスから入力信号を受信し、前記入力信号は前記表示領域内の位置に関連付けられ、
　前記少なくとも１つの他のコンピュータデバイスに、前記位置が前記他のコンピュータデバイスに関連する前記表示領域セクションのうちの１つの中にあることに応じて前記入力信号を与える、
ように構成され、
　前記画像作成ユニットが、前記表示デバイス上に表示するための画像成分を合成するように構成される画像合成ユニットであり、前記画像成分が、
　前記１つのコンピュータデバイスと少なくとも１つの他のコンピュータデバイス、又は、
　複数の他のコンピュータデバイスに関連し、
　前記画像合成ユニットが、
　ソース信号のセットを受信し、各ソース信号は一致するコンピュータデバイスに関連し、ているように構成される、
コンピュータシステム。」
＜相違点Ａ’＞
　「コンピュータシステム」が、補正発明では、「前記コンピュータデバイスのうちの１つと、表示デバイス用の共通ビデオ信号を生成するための画像作成ユニットとを有し」ているのに対して、引用発明２の「映像切り替え機１」は、「前記コンピュータデバイスのうちの１つ」を有するものではなく、また、入力信号を授受する主体に関して、補正発明では、「前記１つのコンピュータデバイス」が、「少なくとも１つの入力デバイスから
入力信号を受信し
他のコンピュータデバイスに
前記入力信号を与える
＜相違点Ｃ’＞
　異なるソース信号を切り換える信号処理に関して、補正発明の「前記画像合成ユニット」は、「前記１つのコンピュータデバイスの第１のソース信号からキー情報を決定し、前記共通ビデオ信号を作るために前記決定されたキー情報に依存して異なる画像ソースのソース信号を切り替えるように構成される」のに対して、引用発明２は、「キー情報」を用いるものではない点。
（３）判断
ア　引用発明１について
＜相違点Ａ＞について
　複数のコンピュータデバイスを操作するためのコンピュータシステムであって、前記コンピュータデバイスのうちの１つと、表示デバイス用の共通ビデオ信号を生成するための画像作成ユニットとを有したコンピュータシステムにおいて、「前記１つのコンピュータデバイス」が、入力デバイスから入力信号を受信して、受信した入力信号を、他のコンピュータデバイスに与えることは、引用文献１に記載や示唆はなく、周知技術とも言えないから、上記相違点Ａに係る構成は、引用発明１に基づいて、容易に想到できたものであるとはいえない。
＜相違点Ｃ＞について
　前置審査で引用された、特開２００３−２９７３２号公報（段落【０００１】、【００１１】、図２）には、パソコン画面とビデオ画面とを合成する画像オーバレイ装置において、パソコン画面の特定の色（クロマキ色）についてのみビデオ画像をオーバレイするための構成が記載され、特開平１１−３１３３３９号公報（段落【０００１】、【００３５】−【００４１】、図２−図４）には、コンピュータのグラフィックス画像信号と動画像信号とを合成してＴＶに表示する表示制御装置において、グラフィック画像データがクロマキーカラーに一致した場合には動画像データを選択するための構成が記載されるように、コンピュータ画像と動画像とを合成する技術において、第１のソース信号からキー情報を決定し、共通ビデオ信号を作るために前記決定されたキー情報に依存して異なる画像ソースのソース信号を切り換えることは、「クロマキー」などの名称で周知の技術である。
　しかし、引用発明１に開示された「複数の画像の合成」は、具体的には、制御部６の指示によって、一方の画像の画面全体をスケーリング（縮小）してから、他方の画面に重ねて表示するもの（引用発明１の（ａ）、（ｃ））、又は、両画面を並べて表示するもの（引用発明１の（ｂ）、（ｄ））、あるいは、フレームメモリコントローラ７内の演算回路が、２つの画面を「画素単位で演算」合成するもの（引用発明１の（ｅ））、すなわち、原則として２つのコンピュータ画像の「画面単位」での合成をするものにおいて、さらに両画面の「画素単位の演算」による合成を可能としたものであって、このような引用発明１において、コンピュータ画像と動画像との合成技術における、１方の画面から決定されたキー情報によって画像ソース信号間の切り替えを制御することで、共通ビデオ信号を作る、上記周知の技術を採用する動機付けはない。
　したがって、補正発明は、引用発明１に基づいて、当業者が容易に発明をすることができたとはいえない。
イ　引用発明２について
＜相違点Ａ’＞について
　上記アの「＜相違点Ａ＞について」と同様の理由により、複数のコンピュータデバイスを操作するためのコンピュータシステムであって、前記コンピュータデバイスのうちの１つと、表示デバイス用の共通ビデオ信号を生成するための画像作成ユニットとを有したコンピュータシステムにおいて、「前記１つのコンピュータデバイス」が、入力デバイスから入力信号を受信して、受信した入力信号を、他のコンピュータデバイスに与えることは、引用文献２に記載や示唆はなく、周知技術とも言えないから、上記相違点Ａ’に係る構成は、引用発明２に基づいて、容易に想到できたものであるとはいえない。
＜相違点Ｃ’＞について
　上記アの「＜相違点Ｃ＞について」と同様の理由により、引用発明２に開示された「複数の画像の合成」は、具体的には、映像切り替え機１の指示によって、「両パソコン２Ａ、２Ｂからの映像をそれぞれ分割表示する分割表示」、又は、「各パソコン２Ａ〜２Ｎからの映像入力をマルチウィンドウ画面で表示」するもの、すなわち、２つのコンピュータ画像の「画面単位」での合成をするものであって、このような引用発明２において、コンピュータ画像と動画像とを合成する技術における、１方の画面から決定されたキー情報によって画像ソース信号間の切り替えを制御することで、共通ビデオ信号を作る、周知の技術を採用する動機付けはない。
　したがって、補正発明は、引用発明２に基づいて、当業者が容易に発明をすることができたとはいえない。
ウ　よって、本件補正の補正事項１は、特許法第１７条の２第６項において準用する同法第１２６条第７項の規定に適合する。
　本件補正のその余の補正事項についても、特許法第１７条の２第３項ないし第６項に違反するところはない。
３．むすび
　本件補正は、特許法第１７条の２第３項ないし第６項の規定に適合する。
第３　本願発明
　本件補正は上記のとおり、特許法第１７条の２第３項ないし第６項の規定に適合するから、本願の請求項１−１２に係る発明は、本件補正により補正された特許請求の範囲の請求項１―１２に記載された事項により特定されるとおりのものである。
　そして、本願については、原査定の拒絶理由を検討してもその理由によって拒絶すべきものとすることはできない。 
　また、他に本願を拒絶すべき理由を発見しない。 
　よって、結論のとおり審決する。